(57)【特許請求の範囲】
【請求項１】
給紙部から給紙される記録紙に対して画像を記録する画像記録装置において、
記録中のジョブを中断して別の記録ジョブを割り込ませるジョブ割込手段と、該割り込ませた記録ジョブが終了したときに、前記中断している記録ジョブの再開を制御するジョブ再開制御手段とを備え、
前記ジョブ割込手段による割り込み処理の終了後、前記ジョブ再開制御手段は、前記割り込ませた記録ジョブの記録紙と、前記中断している記録ジョブの記録紙とが同じ給紙部から給紙され且つ該給紙部が手差し給紙トレイの場合、あるいは、前記割り込ませた記録ジョブの記録紙と、前記中断している記録ジョブの記録紙とが同じ給紙部から給紙され且つ該給紙部が前記画像記録装置に着脱可能な給紙トレイの場合であって、該給紙トレイの取り外しが検知された場合、前記中断している記録ジョブの再開を遅延させ、
前記ジョブ再開制御手段は、前記割り込ませた記録ジョブの記録紙と、前記中断している記録ジョブの記録紙とが異なる給紙部から給紙された場合、あるいは、前記割り込ませた記録ジョブの記録紙と、前記中断している記録ジョブの記録紙とが同じ給紙部から給紙され且つ該給紙部が前記画像記録装置に着脱可能な給紙トレイの場合であって、該給紙トレイの取り外しが検知されない場合、前記中断している記録ジョブを遅延させることなく再開させることを特徴とする画像記録装置。
【請求項２】
前記ジョブ再開制御手段は、前記割り込ませた記録ジョブの記録紙と、前記中断している記録ジョブの記録紙とが同じ給紙部から給紙され且つ該給紙部が前記画像記録装置に着脱可能な給紙トレイの場合であって、該給紙トレイの取り外しが検知された場合、該給紙トレイの前記画像記録装置への再装着を検知したときに、前記中断している記録ジョブの再開を許可することを特徴とする請求項１に記載の画像記録装置。
【請求項３】
前記ジョブ再開制御手段は、前記割り込ませた記録ジョブの記録紙と、前記中断している記録ジョブの記録紙とが同じ給紙部から給紙されている場合、前記割り込ませた記録ジョブが終了し、前記中断している記録ジョブを再開させる際に、記録紙の確認を促すための報知を行うことを請求項１に記載の画像記録装置。
【請求項４】
給紙部から給紙される記録紙に対して画像を記録する画像記録装置の割り込み記録方法において、
該画像記録装置が、記録中のジョブを中断して別の記録ジョブを割り込ませるジョブ割込ステップと、該割り込ませた記録ジョブが終了したときに、前記中断している記録ジョブの再開を制御するジョブ再開制御ステップとを備え、
前記ジョブ割込ステップによる割り込み処理の終了後、前記ジョブ再開制御ステップは、前記割り込ませた記録ジョブの記録紙と、前記中断している記録ジョブの記録紙とが同じ給紙部から給紙され且つ該給紙部が手差し給紙トレイの場合、あるいは、前記割り込ませた記録ジョブの記録紙と、前記中断している記録ジョブの記録紙とが同じ給紙部から給紙され且つ該給紙部が前記画像記録装置に着脱可能な給紙トレイの場合であって、該給紙トレイの取り外しが検知された場合、前記中断している記録ジョブの再開を遅延させ、
前記ジョブ再開制御ステップは、前記割り込ませた記録ジョブの記録紙と、前記中断している記録ジョブの記録紙とが異なる給紙部から給紙された場合、あるいは、前記割り込ませた記録ジョブの記録紙と、前記中断している記録ジョブの記録紙とが同じ給紙部から給紙され且つ該給紙部が前記画像記録装置に着脱可能な給紙トレイの場合であって、該給紙トレイの取り外しが検知されない場合、前記中断している記録ジョブを遅延させることなく再開させることを特徴とする画像記録装置の割り込み記録方法。
【発明の詳細な説明】
【技術分野】
【０００１】
本発明は、手差し給紙などによる割り込み記録機能を備えた画像記録装置及び該画像記録装置の割り込み記録方法に関する。
【背景技術】
【０００２】
従来、大量の用紙を収容可能な給紙カセットと、手差し給紙のための手差しトレイとを備える電子複写機において、給紙カセットによる複写中に割り込み複写を行う場合、まず、割り込みモードに切り替えて、手差しトレイに用紙をセットして割り込み複写を実行し、割り込み複写が完了したら電子複写機が停止するのを待って再び開始スイッチを押下して、給紙カセットによる複写を再開していた。この場合、割り込み枚数が少ない場合でも同様の操作を行っていたため、操作が面倒であった。
【０００３】
上記課題に対して、例えば、特許文献１には、手差しトレイへ複写すべき用紙を挿入すると、自動的に割り込みモードになり、割り込み複写が完了すると自動的に元のモード（給紙カセットモード）に復帰できるようにした電子複写機が開示されている。
【特許文献１】特開昭５８−１４１５２号公報
【発明の開示】
【発明が解決しようとする課題】
【０００４】
上記特許文献１に記載の発明では、給紙カセットと手差しトレイのように用紙の給紙部が割り込み複写の前後で異なっているため、手差しトレイによる割り込み複写が完了した時点で、すぐに、給紙カセットの用紙への複写を再開してもスムーズに移行することができる。しかし、割り込み複写の前後で同じ給紙部から用紙が給紙されている場合、割り込み複写が完了した時点で、すぐに、割り込みにより中断されていた複写を再開すると、割り込み前に複写を行っていたユーザ（すなわち、割り込まれた側のユーザ）にとって意図しない用紙に複写されてしまうことがある。
【０００５】
例えば、手差しトレイを利用して特殊な用紙に複写しているときに、同じ手差しトレイを利用して割り込み複写を受けたとする。この場合、その特殊用紙を一旦手差しトレイから外して、割り込み複写用の別の用紙をセットして必要部数複写する。そして、割り込み複写が完了すると、中断されていた複写がすぐに再開される。このとき、手差しトレイ上に割り込み複写用の別の用紙が残っていたりすると、特殊用紙ではない別の用紙に複写されてしまい、複写のやり直しなどの事態を招来してしまう。
【０００６】
本発明は、上述のごとき実情に鑑みてなされたものであり、給紙部から給紙される記録紙に対して画像を記録する画像記録装置において、割り込み前に記録を行っていた記録紙と同じ記録紙に確実に記録できるようにすること、を目的とする。
【課題を解決するための手段】
【０００７】
上記課題を解決するために、本発明の第１の技術手段は、給紙部から給紙される記録紙に対して画像を記録する画像記録装置において、記録中のジョブを中断して別の記録ジョブを割り込ませるジョブ割込手段と、該割り込ませた記録ジョブが終了したときに、前記中断している記録ジョブの再開を制御するジョブ再開制御手段とを備え、前記ジョブ割込手段による割り込み処理の終了後、前記ジョブ再開制御手段は、前記割り込ませた記録ジョブの記録紙と、前記中断している記録ジョブの記録紙とが同じ給紙部から給紙され且つ該給紙部が手差し給紙トレイの場合、あるいは、前記割り込ませた記録ジョブの記録紙と、前記中断している記録ジョブの記録紙とが同じ給紙部から給紙され且つ該給紙部が前記画像記録装置に着脱可能な給紙トレイの場合であって、該給紙トレイの取り外しが検知された場合、前記中断している記録ジョブの再開を遅延させ、前記ジョブ再開制御手段は、前記割り込ませた記録ジョブの記録紙と、前記中断している記録ジョブの記録紙とが異なる給紙部から給紙された場合、あるいは、前記割り込ませた記録ジョブの記録紙と、前記中断している記録ジョブの記録紙とが同じ給紙部から給紙され且つ該給紙部が前記画像記録装置に着脱可能な給紙トレイの場合であって、該給紙トレイの取り外しが検知されない場合、前記中断している記録ジョブを遅延させることなく再開させることを特徴としたものである。
【０００８】
第２の技術手段は、第１の技術手段において、前記ジョブ再開制御手段は、前記割り込ませた記録ジョブの記録紙と、前記中断している記録ジョブの記録紙とが同じ給紙部から給紙され且つ該給紙部が前記画像記録装置に着脱可能な給紙トレイの場合であって、該給紙トレイの取り外しが検知された場合、該給紙トレイの前記画像記録装置への再装着を検知したときに、前記中断している記録ジョブの再開を許可することを特徴としたものである。
【０００９】
第３の技術手段は、第１の技術手段において、前記ジョブ再開制御手段は、前記割り込ませた記録ジョブの記録紙と、前記中断している記録ジョブの記録紙とが同じ給紙部から給紙されている場合、前記割り込ませた記録ジョブが終了し、前記中断している記録ジョブを再開させる際に、記録紙の確認を促すための報知を行うことを特徴としたものである。
【００１０】
第４の技術手段は、給紙部から給紙される記録紙に対して画像を記録する画像記録装置の割り込み記録方法において、該画像記録装置が、記録中のジョブを中断して別の記録ジョブを割り込ませるジョブ割込ステップと、該割り込ませた記録ジョブが終了したときに、前記中断している記録ジョブの再開を制御するジョブ再開制御ステップとを備え、前記ジョブ割込ステップによる割り込み処理の終了後、前記ジョブ再開制御ステップは、前記割り込ませた記録ジョブの記録紙と、前記中断している記録ジョブの記録紙とが同じ給紙部から給紙され且つ該給紙部が手差し給紙トレイの場合、あるいは、前記割り込ませた記録ジョブの記録紙と、前記中断している記録ジョブの記録紙とが同じ給紙部から給紙され且つ該給紙部が前記画像記録装置に着脱可能な給紙トレイの場合であって、該給紙トレイの取り外しが検知された場合、前記中断している記録ジョブの再開を遅延させ、前記ジョブ再開制御ステップは、前記割り込ませた記録ジョブの記録紙と、前記中断している記録ジョブの記録紙とが異なる給紙部から給紙された場合、あるいは、前記割り込ませた記録ジョブの記録紙と、前記中断している記録ジョブの記録紙とが同じ給紙部から給紙され且つ該給紙部が前記画像記録装置に着脱可能な給紙トレイの場合であって、該給紙トレイの取り外しが検知されない場合、前記中断している記録ジョブを遅延させることなく再開させることを特徴としたものである。
【発明の効果】
【００１４】
本発明によれば、給紙部から給紙される記録紙に対して画像を記録する画像記録装置において、割り込ませた記録ジョブの終了後、給紙部が手差しトレイの場合、あるいは、給紙部が着脱可能な給紙トレイであり且つ給紙トレイの取り外しが検知された場合、中断している記録ジョブの再開を遅延させ、その間に、中断している記録ジョブの記録紙を再度セットすることができるため、割り込み前に記録を行っていた記録紙と同じ記録紙に確実に記録することができる。
また、割り込ませた記録ジョブの終了後、取り外された給紙トレイが再装着されたことを確認してから、中断している記録ジョブを再開できるため、上記同様に、割り込み前に記録を行っていた記録紙と同じ記録紙に確実に記録することができる。
【発明を実施するための最良の形態】
【００１５】
図１は、本発明の一実施形態に係る画像記録装置の概略構成例を示すブロック図で、図中、１は画像記録装置、２０は電話回線網、３０はＬＡＮ等で構成されたネットワーク、２１は電話回線網２０に接続されたファクシミリ装置、３１，３２はネットワーク３０に接続された端末装置、４０はインターネット、４１はインターネット４０に接続されたファクシミリ装置、４２はインターネット４０に接続された端末装置を示す。画像記録装置１は、ファクシミリ装置２１，４１との間でＦＡＸによる画像データの送受信を可能とし、端末装置３１，３２，４２との間で電子メール等を利用した画像データの送受信を可能とする。ここで、本発明の画像データは、画像データに限らず、文書データ、あるいは画像及び文書からなるデータを含むものとする。
【００１６】
尚、本実施形態の画像記録装置１としては、スキャナ機能、コピー機能、ファクシミリ機能、及びプリンタ機能のいずれか複数の機能を備えたデジタル複合機を適用した場合を代表例とし、以下、デジタル複合機１として説明する。
【００１７】
図１において、デジタル複合機１は、原稿を読み取って画像データを入力する画像読み取り部２と、デジタル複合機１が備える各機能を制御する機器制御部３と、ユーザ入力を受け付ける操作部４と、ＬＡＮ等のネットワーク３０を介して端末装置３１，３２と通信し、インターネット４０を介してファクシミリ装置４１，端末装置４２と通信する通信部５と、画像データの印刷処理を行うデータ処理手段である画像形成部６と、画像データを記憶するためのハードディスク（ＨＤ）７と、デジタル複合機１の制御情報や設定情報などを記憶するメモリである管理部８と、ＨＤ７内の画像データを消去する消去手段１０と、電話回線網２０を介してファクシミリ装置２１と通信するためのＦＡＸモデム１０と、を備えている。
【００１８】
また、デジタル複合機１は、デジタル複合機１に対して着脱可能に装着される第１給紙トレイ１１及び第２給紙トレイ１２、記録紙を手差し給紙するための手差し給紙トレイ１３を備えている。なお、本実施形態では、第１給紙トレイ１１及び第２給紙トレイ１２の２つの給紙トレイを設けた例について示しているが、給紙トレイは１つ以上であればよい。
【００１９】
以下、図１に示すデジタル複合機１の各部について詳細に説明する。まず、画像読み取り部２は、原稿を読み取って画像データを入力する入力手段であり、例えば、画像読み取り手段としてのＣＣＤ（Ｃｈａｒｇｅ Ｃｏｕｐｌｅｄ Ｄｅｖｉｃｅ：電荷結合素子）２ａと、原稿台や自動原稿送り装置（ＡＤＦ）などにセットされた原稿を検知する原稿検知センサ２ｂとを備えている。
【００２０】
操作部４は、各種入力キーなどを備えた入力部４ａと、ＬＣＤ（Ｌｉｑｕｉｄ  Ｃｒｙｓｔａｌ  Ｄｉｓｐｌａｙ：液晶ディスプレイ）などの表示部４ｂとを備えており、デジタル複合機１に対して操作の入力や、各種設定の入力を行う。また、入力部４ａには、デジタル複合機１を利用する利用者の認証情報を入力する認証情報入力手段を配置するようにしてもよい。利用者の認証情報の入力方法としては、例えば、利用者コードの直接入力、ＩＤカードの情報読み取り入力、利用者の生体情報（指紋などの）読み取り入力など様々である。これらのいずれかの方法により、デジタル複合機１の利用者認証を行えるようにする。また、ユーザは、記録中のジョブを中断して別のジョブを割り込ませるための割り込み指示を操作部４から行うことができる。
【００２１】
画像形成部６は、画像データを処理（出力）するデータ処理（出力）手段であり、ページメモリであるメモリ６ａと、ＬＳＵ（Ｌａｓｅｒ  Ｓｃａｎｎｉｎｇ  Ｕｎｉｔ：レーザ走査ユニット）などの印字部６ｂと、第１給紙トレイ１１と、第２給紙トレイ１２、手差し給紙トレイ１３と、を備えている。画像形成部６は、メモリ６ａに一旦記憶された画像データをＨＤ７に記憶し、また、ＨＤ７に記憶した画像データを復号してメモリ６ａに送り、印字部６ｂに転送して印字出力する。
【００２２】
ＨＤ７は、入力された画像データを一時記憶するための記憶手段である。このＨＤ７は、磁気記憶媒体を備えた記憶手段として構成することで、大量の画像データを蓄積して順次処理していくことが可能となり、複数のユーザからの指示を効率良く処理することができる。
【００２３】
以下、デジタル複合機１が搭載している画像処理モードに関する動作例について簡単に説明する。
（コピーモード）
本実施形態に係るデジタル複合機１を複写機として利用する場合には、画像読み取り部２で読み取られた原稿の画像データが、画像形成部６から複写物として出力される。
【００２４】
画像読み取り部２には、ＣＣＤ２ａが備えられており、読み取り位置にセットされた原稿の画像を電子的に読み取ることができる。そして、読み取られた原稿の画像データは、メモリ６ａ上に出力データとして完成され、一旦ＨＤ７へ記憶される。原稿が複数ある場合は、この読み取り、記憶の動作が繰り返される。その後、操作部４から指示された処理モードに基づいて、ＨＤ７に記憶された画像データが適切なタイミングで順次読み出されてメモリ６ａに送られる。そして、印字部６ｂへの書き込みタイミングに合わせて画像データがメモリ６ａから印字部６ｂへと転送される。
【００２５】
また、読み取った画像データを複数枚印字する場合も、同様に出力データとしてページ単位でＨＤ７へ記憶され、出力するモードに合わせてＨＤ７からメモリ６ａに送られ、出力枚数の分だけ繰り返し、印字部６ｂへの書き込みタイミングに合わせて印字部６ｂへ転送される。
【００２６】
（プリンタモード）
次に、本実施形態に係るデジタル複合機１をプリンタとして利用する場合には、通信部５から受信した画像データがメモリ６ａなどを介して画像形成部６から出力される。
【００２７】
通信部５は、有線あるいは無線を利用してネットワーク３０と接続されており、ネットワーク３０上に接続された外部機器である端末装置３１，３２から画像データを受信する。このように受信された画像データは、出力する画像データとしてページ単位にメモリ６ａに送られ、一旦ＨＤ７へ記憶される。そして、画像データは、再びＨＤ７からメモリ６ａに送られ、前述した複写機として利用する場合と同様にして印字部６ｂへと転送される。
【００２８】
（スキャナモード）
また、本実施形態に係るデジタル複合機１をネットワークスキャナとして利用する場合には、画像読み取り部２において読み取られた原稿の画像データを、通信部５からネットワーク３０を介して任意の端末装置３１，３２へ送信することができる。ここでも、画像読み取り部２に備えられたＣＣＤ２ａにより原稿を電子的に読み取る。そして、読み取られた原稿の画像データは、メモリ６ａ上に出力データとして完成され、一旦ＨＤ７へ記憶される。そして、再びＨＤ７からメモリ６ａに送られ、操作部４を介して指示された送信先との通信を確立させた上で通信部５から目的の送信先へと送信される。
【００２９】
（ファクシミリモード）
さらに、通信部５は、ネットワーク３０，インターネット４０を介してファクシミリ装置４１と接続されている。また、ＦＡＸモデム１０は、電話回線網２０を介してファクシミリ装置２１と接続するようにしてもよい。本実施形態に係るデジタル複合機１をファクシミリ装置として利用する場合にも同様の動作が行われ、外部機器との間で画像データの送信及び受信が可能となる。
【００３０】
本実施形態に係るデジタル複合機１の各構成部は、機器制御部３により制御され、操作部４に設けられたタブレット，キー群などの入力部４ａからの操作指示を監視すると共に、表示部４ｂを介してデジタル複合機１の状態に関する情報などのユーザに通知すべき情報を的確に案内表示する。また、管理部８には、機器制御部３により制御されている各構成部に関する情報が管理されており、これら情報をもとに、機器制御部３がデジタル複合機１全体の動作を制御する。
【００３１】
図２は、本発明のデジタル複合機１の主要部構成例を示すブロック図である。デジタル複合機１は、割り込み記録機能（以下、割り込み印刷機能という）を備えており、印刷中のジョブを中断して別の印刷ジョブを割り込ませることができる。機器制御部３は、画像読み取り部２、操作部４、管理部８と接続されると共に、第１給紙トレイ１１に記録紙がセットされたことを検知するための第１給紙トレイ記録紙センサ１１ａと、第２給紙トレイ１２に記録紙がセットされたことを検知するための第２給紙トレイ記録紙センサ１２ａと、手差し給紙トレイ１３に記録紙がセットされたことを検知するための手差し給紙トレイ記録紙センサ１３ａと、第１給紙トレイ１１がデジタル複合機１の所定の位置に装着されたことを検知するための第１給紙トレイセンサ１１ｂと、第２給紙トレイ１２がデジタル複合機１の所定の位置に装着されたことを検知するための第２給紙トレイセンサ１２ｂと、接続される。また、画像読取部２は、ページメモリであるメモリ６ａ、割り込みタイミングを管理する画像形成部６と接続される。
【００３２】
本実施形態の機器制御部３は、印刷中のジョブを中断して別の印刷ジョブを割り込ませるジョブ割込手段３ａと、割り込ませた印刷ジョブが終了したときに、中断している印刷ジョブの再開を制御するジョブ再開制御手段３ｂとを備え、ジョブ再開制御手段３ｂは、割り込ませた印刷ジョブの記録紙と、中断している印刷ジョブの記録紙とが同じ給紙部（すなわち、手差し給紙トレイ１３、第１給紙トレイ１１、第２給紙トレイ１２のいずれか）から給紙されている場合、中断している印刷ジョブの再開を遅延させる。このときの遅延時間は、およそ１分以内で任意に設定することができる。
【００３３】
例えば、割り込ませた印刷ジョブの記録紙と、中断中の印刷ジョブの記録紙とが同じ手差し給紙トレイ１３から給紙されている場合、上記のように遅延時間を設けて、割り込みにより中断中の印刷ジョブの再開を遅延させている間に、中断中の印刷ジョブの記録紙を再度セットすることができるため、割り込み前に印刷を行っていた記録紙と同じ記録紙に確実に印刷することができる。以下、割り込み時における再開遅延処理について具体的に説明する。
【００３４】
図２において、例えば、３ページからなるＡ４サイズの原稿Ａを５０部コピーしているときに、２ページからなるＡ４サイズの原稿Ｂを１部割り込みコピーする場合を想定する。まず、手差し給紙トレイ１３に記録紙をセットし、原稿Ａを画像読み取り部２で読み取って、読み取った画像データをメモリ６ａに一旦蓄積し、その画像データをメモリ６ａから画像形成部６に順次出力して原稿Ａのコピーを行う。このとき、操作部４から割り込み指示がかかると、機器制御部３は、画像読み取り部２と通信し、画像読み取り部２は、機器制御部３からの割り込み指示に応答して、画像形成部６に対して原稿Ａのコピー処理を中断するように指示する。
【００３５】
画像形成部６は、割り込みのタイミングを管理しており、割り込み指示を受けたときに、原稿Ａのコピー処理をすぐに中断せず、例えば部数単位などの区切りのよいところで中断する。例えば、５０部中の２５部目の１ページ目で割り込み指示をうけると、２５部目の３ページまでコピーを完了させてから中断する。機器制御部３は、画像形成部６から中断処理の結果（本例では、５０部中の２５部まで完了したことを示す情報）を受け取り、この中断処理結果と、使用していた給紙トレイの識別情報（本例では、手差し給紙トレイ１３）とを一時的に管理部８に格納しておく。
【００３６】
次に、機器制御部３は、割り込み可能であることをユーザに報知するためのメッセージを操作部４の画面上に表示し、このメッセージを受けて、割り込みを行うユーザは、どの給紙トレイ（ここでは手差し給紙トレイ１３を指定）を使用するのか、何部コピーするのか、などのコピー条件を設定し、割り込みコピーを開始するためにコピースタートキーを押下する。そして、割り込みコピーが終了あるいは中断されると、機器制御部３は、割り込み前後で同じ給紙トレイを使用していたかどうかを判断する。具体的には、管理部８に格納された給紙トレイの識別情報と、コピー条件として指定された給紙トレイの情報とを比較する。
【００３７】
次に、機器制御部３は、上記比較の結果、同じ給紙トレイ（本例では手差し給紙トレイ１３）を使用していると判断した場合、中断しているコピー処理の再開を遅延させた後に、割り込みをリセットする。また、給紙トレイが異なると判断した場合、中断しているコピー処理の再開を遅延させずに、割り込みをリセットする。割り込みがリセットされると、中断しているコピー処理を再開させて元の状態（すなわち、割り込み前の状態）に復帰する。
【００３８】
以上の説明では、割り込ませた記録ジョブの記録紙と、中断している記録ジョブの記録紙とが同じ給紙部（第１給紙トレイ１１，第２給紙トレイ１２，手差し給紙トレイ１３のいずれか）から給紙されている場合に、中断している記録ジョブの再開を遅延させる構成としていたが、第１給紙トレイ１１あるいは第２給紙トレイ１２の着脱状態などに応じて、中断している記録ジョブの再開を許可するようにしてもよい。
【００３９】
ジョブ再開制御手段３ｂは、第１給紙トレイセンサ１１ｂにより第１給紙トレイ１１が装着されたことを、また、第２給紙トレイセンサ１２ｂにより第２給紙トレイ１２が装着されたことを、それぞれ検知することができる。例えば、割り込みにより第１給紙トレイ１１がデジタル複合機１から一旦取り外された後、再びデジタル複合機１の所定位置に装着されたことを検知したときに、中断している記録ジョブの再開を許可するようにしてもよい。この場合、割り込み処理の終了後、ジョブ再開を遅延させ、さらに、デジタル複合機１に給紙トレイが再装着されたことをトリガとして記録ジョブを再開する。従って、給紙トレイが再装着されるまで、ジョブが再開されることがなく、より確実に、割り込み前に記録を行っていた記録紙と同じ記録紙に記録することができる。
【００４０】
また、ジョブ再開制御手段３ｂは、第１給紙トレイ記録紙センサ１１ａにより第１給紙トレイ１１に記録紙がセットされたことを、また、第２給紙トレイ記録紙センサ１２ａにより第２給紙トレイ１２に記録紙がセットされたことを、また、手差し給紙トレイ記録紙センサ１３ａにより手差し給紙トレイ１３に記録紙がセットされたことを、それぞれ検知することができる。例えば、割り込みにより第１給紙トレイ１１の記録紙が第１給紙トレイ１１から一旦取り出された後、再び第１給紙トレイ１１にセットされたことを検知したときに、中断している記録ジョブの再開を許可するようにしてもよい。この場合も、上記と同様に、割り込み処理の終了後、ジョブ再開を遅延させ、さらに、給紙トレイに記録紙が再セットされたことをトリガとして記録ジョブを再開する。従って、給紙トレイに記録紙が再セットされるまで、ジョブが再開されることがなく、より確実に、割り込み前に記録を行っていた記録紙と同じ記録紙に記録することができる。
【００４１】
また、ジョブ再開制御手段３ｂは、割り込ませた記録ジョブの記録紙と、中断している記録ジョブの記録紙とが同じ給紙部から給紙されている場合、割り込ませた記録ジョブが終了し、中断している記録ジョブを再開させる際に、記録紙の確認を促すための報知を行うようにしてもよい。この報知手段は、例えば、操作部４の画面上にメッセージを表示させてもよいし、警告音を発してユーザに確認を促すようにしてもよい。
【００４２】
次に、図３に基づいて、本発明のデジタル複合機１における割り込み処理の一例を説明する。図３（Ａ）は、第１給紙トレイ１１を利用したときの割り込み処理の例を説明するための図である。本例では、８枚からなるＡ４サイズの原稿Ａを５０部コピーしているときに、２枚からなるＡ４サイズの原稿Ｂを１部割り込みコピーする場合を想定する。まず、第１給紙トレイ１１に記録紙をセットし、原稿Ａを画像読み取り部２で読み取って、読み取った画像データを順次プリントアウト処理する（Ｓ１）。このとき、操作部４から割り込み指示がかかると（Ｓ２）、機器制御部３は、画像読み取り部２と通信し、画像読み取り部２は、機器制御部３からの割り込み指示に応答して、画像形成部６に対して原稿Ａのプリントアウト処理を中断するように指示する（Ｓ３）。
【００４３】
画像形成部６は、割り込みのタイミングを管理しており、割り込み指示を受けたときに、原稿Ａのプリントアウト処理をすぐに中断せず、例えば部数単位などの区切りのよいところで中断する。例えば、５０部中の２５部目の３ページ目で割り込み指示をうけると、２５部目の８ページまで複写を完了させてから中断する。機器制御部３は、画像形成部６から中断処理の結果（本例では、５０部中の２５部まで完了したことを示す情報）を受け取り、この中断処理結果と、使用していた給紙トレイの識別情報（本例では、第１給紙トレイ１１）とを一時的に管理部８に格納しておく。
【００４４】
次に、機器制御部３は、割り込み可能であることをユーザに報知するためのメッセージを操作部４の画面上に表示し、このメッセージを受けて、割り込みを行うユーザは、どの給紙トレイ（ここでは第１給紙トレイ１１を指定）を使用するのか、何部コピーするのか、などのコピー条件を設定し、割り込みコピーを開始するためにコピースタートキーを押下して割り込みコピーを開始する（Ｓ４）。割り込みコピーが終了した時点で、中断しているジョブを再開する（Ｓ５）。
【００４５】
なお、本例では、割り込みの前後で同じ第１給紙トレイ１１から給紙されているが、遅延時間を設けることなく、中断しているジョブを再開させている。この第１給紙トレイ１１には通常大量の記録紙が収納されており、給紙トレイの取り外し／再装着や、記録紙の取り出し／再セットが検知されない場合、割り込みの前後で記録紙の変更はないと考えられる。従って、特に遅延時間を設けることなく、割り込みコピーの終了後、すぐに、中断中のジョブを再開するようにしている。
【００４６】
図３（Ｂ）は、手差し給紙トレイ１３を利用したときの割り込み処理の例を説明するための図である。本例では、２枚からなるＡ４サイズの原稿Ａを５０部コピーしているときに、１枚からなるＡ４サイズの原稿Ｂを２部割り込みコピーする場合を想定する。まず、手差し給紙トレイ１３に記録紙をセットし、原稿Ａを画像読み取り部２で読み取って、読み取った画像データを順次プリントアウト処理する（Ｓ１１）。このとき、操作部４から割り込み指示がかかると（Ｓ１２）、機器制御部３は、画像読み取り部２と通信し、画像読み取り部２は、機器制御部３からの割り込み指示に応答して、画像形成部６に対して原稿Ａのプリントアウト処理を中断するように指示する（Ｓ１３）。
【００４７】
画像形成部６は、割り込みのタイミングを管理しており、割り込み指示を受けたときに、原稿Ａのプリントアウト処理をすぐに中断せず、例えば部数単位などの区切りのよいところで中断する。例えば、５０部中の２５部目の１ページ目で割り込み指示をうけると、２５部目の２ページまで複写を完了させてから中断する。機器制御部３は、画像形成部６から中断処理の結果（本例では、５０部中の２５部まで完了したことを示す情報）を受け取り、この中断処理結果と、使用していた給紙トレイの識別情報（本例では、手差し給紙トレイ１３）とを一時的に管理部８に格納しておく。
【００４８】
次に、機器制御部３は、割り込み可能であることをユーザに報知するためのメッセージを操作部４の画面上に表示し、このメッセージを受けて、割り込みを行うユーザは、どの給紙トレイ（ここでは手差し給紙トレイ１３を指定）を使用するのか、何部コピーするのか、などのコピー条件を設定し、割り込みコピーを開始するためにコピースタートキーを押下して割り込みコピーを開始する（Ｓ１４）。割り込みコピーが終了した時点で、機器制御部３は、割り込み前後で同じ給紙トレイを使用していたかどうかを、管理部８に格納された給紙トレイの識別情報と、コピー条件として指定された給紙トレイの情報とを比較して判断する。
【００４９】
次に、機器制御部３は、上記比較の結果、同じ給紙トレイ（本例では手差し給紙トレイ１３）を使用していると判断した場合、中断しているコピー処理の再開を遅延させた後に、割り込みをリセットし、中断しているコピー処理を再開させる（Ｓ１５）。
【００５０】
図４は、本発明が適用されるデジタル複合機１の割り込み記録方法の一例を説明するためのフロー図である。まず、デジタル複合機１の機器制御部３は、プリント出力中に割り込み指示があると、プリント出力の中断処理を行い（ステップＳ２１）、現在給紙中の給紙トレイがどれであるかを確認し、その結果を管理部８に格納する（ステップＳ２２）。次に、機器制御部３は、画像形成部６から送られてくる中断処理の経過情報に基づいて、プリント出力を中断できる状態にあるかどうかを判定し（ステップＳ２３）、プリント出力を中断できない場合（ＮＯの場合）、例えば、「しばらくお待ち下さい」というメッセージを操作部４の画面上に表示するなどして、ステップＳ２３に戻り処理を繰り返す。画像形成部６は、割り込みのタイミングを管理しており、割り込み指示を受けたときに、プリント出力処理をすぐに中断せず、例えば部数単位などの区切りのよいところで中断する処理を行い、その経過情報を機器制御部３に送信する。
【００５１】
また、上記ステップＳ２３において、機器制御部３は、プリント出力を中断できる状態にあると判断された場合（ＹＥＳの場合）、割り込み可能メッセージを操作部４の画面上に表示し（ステップＳ２４）、ユーザ操作に従って割り込みコピーの条件（例えば、コピー部数、どの給紙トレイを使用するかなど）を設定する（ステップＳ２５）。次に、機器制御部３は、コピースイッチがＯＮされたかどうかを判断し（ステップＳ２６）、コピースイッチがＯＮされた場合（ＹＥＳの場合）、割り込みコピー処理を実行し（ステップＳ２７）、割り込みコピーが完了したかどうかを判断する（ステップＳ２８）。この際、割り込みコピーが完了したと判断された場合（ＹＥＳの場合）、ステップＳ３０に移行する。また、割り込みコピーが完了していないと判断された場合（ＮＯの場合）、ステップＳ２７に戻り処理を繰り返す。
【００５２】
一方、上記ステップＳ２６において、コピースイッチがＯＮされない場合（ＮＯの場合）、割り込み処理のキャンセルキーが押下されたかどうかを判断し（ステップＳ２９）、キャンセルキーが押下された場合（ＹＥＳの場合）、ステップＳ３０に移行する。また、上記ステップＳ２９において、キャンセルキーが押下されない場合（ＮＯの場合）、ステップＳ２６に戻りコピースイッチの待機状態となる。
【００５３】
ここで、割り込み処理の完了後、ステップＳ３０において、割り込み前後の給紙トレイを比較する処理を行っているが、割り込み処理を途中で中断した場合にも、同様に給紙トレイを比較する処理を行うようにしてもよい。
【００５４】
次に、機器制御部３は、割り込み前後の給紙トレイが一致するかどうかを判断し（ステップＳ３１）、給紙トレイが一致する場合（ＹＥＳの場合）、その給紙トレイが手差し給紙トレイ１３かどうかを判断する（ステップＳ３２）。また、上記ステップＳ３１において、給紙トレイが一致しない場合（ＮＯの場合）、中断しているジョブの再開を遅延させることなく、ステップＳ３５に移行する。
【００５５】
また、上記ステップＳ３２において、給紙トレイが手差し給紙トレイ１３であると判断された場合（ＹＥＳの場合）、中断しているジョブの再開を遅延させる（ステップＳ３３）。一方、給紙トレイが手差し給紙トレイ１３ではない、すなわち第１給紙トレイ１１あるいは第２給紙トレイ１２のいずれかであると判断された場合（ＮＯの場合）、機器制御部３は、第１給紙トレイ１１あるいは第２給紙トレイ１２の着脱があったかどうかを判断する（ステップＳ３４）。
【００５６】
上記ステップＳ３４において、第１給紙トレイ１１あるいは第２給紙トレイ１２の着脱があったと判断された場合（ＹＥＳの場合）、ステップＳ３３に移行して、中断しているジョブの再開を遅延させ、さらに、給紙トレイの装着をトリガとしてジョブを再開させる。また、上記ステップＳ３４において、第１給紙トレイ１１あるいは第２給紙トレイ１２の着脱がないと判断された場合（ＮＯの場合）、中断しているジョブの再開を遅延させることなく、ステップＳ３５に移行する。次に、機器制御部３は、割り込み処理をリセットし（ステップＳ３５）、中断しているジョブの復帰処理を行って（ステップＳ３６）、プリント出力を再開する。
【００５７】
以上説明したように、本発明によれば、給紙部から給紙される記録紙に対して画像を記録する画像記録装置において、割り込ませた記録ジョブの終了後、給紙部が手差しトレイの場合、あるいは、給紙部が着脱可能な給紙トレイであり且つ給紙トレイの取り外しが検知された場合、中断している記録ジョブの再開を遅延させ、その間に、中断している記録ジョブの記録紙を再度セットすることができるため、割り込み前に記録を行っていた記録紙と同じ記録紙に確実に記録することができる。
また、割り込ませた記録ジョブの終了後、取り外された給紙トレイが再装着されたことを確認してから、中断している記録ジョブを再開できるため、上記同様に、割り込み前に記録を行っていた記録紙と同じ記録紙に確実に記録することができる。
【産業上の利用可能性】
【００５８】
本発明は、デジタル複合機（ＭＦＰ）などの電子複写機の割り込み記録技術に利用することができ、特に、中速機以下のデジタル複合機に好適なものである。
【図面の簡単な説明】
【００５９】
【図１】本発明の一実施形態に係る画像記録装置の概略構成例を示すブロック図である。
【図２】本発明のデジタル複合機の主要部構成例を示すブロック図である。
【図３】本発明のデジタル複合機における割り込み処理の一例を説明するための図である。
【図４】本発明が適用されるデジタル複合機の割り込み記録方法の一例を説明するためのフロー図である。
【符号の説明】
【００６０】
１…画像記録装置（デジタル複合機）、２…画像読み取り部、２ａ…ＣＣＤ、２ｂ…原稿検知センサ、３…機器制御部、３ａ…ジョブ割込手段、３ｂ…ジョブ再開制御手段、４…操作部、４ａ…入力部、４ｂ…表示部、５…通信部、６…画像形成部、６ａ…メモリ、６ｂ…印字部（ＬＳＵ）、７…ハードディスク（ＨＤ）、８…管理部、９…消去手段、１０…ＦＡＸモデム、１１…第１給紙トレイ、１１ａ…第１給紙トレイ記録紙センサ、１１ｂ…第１給紙トレイセンサ、１２…第２給紙トレイ、１２ａ…第２給紙トレイ記録紙センサ１２ｂ…第２給紙トレイセンサ、１３…手差し給紙トレイ、１３ａ…手差し給紙トレイ記録紙センサ、２０…電話回線網、２１，４１…ファクシミリ装置、３０…ネットワーク、３１，３２，４２…端末装置、４０…インターネット。
【図１】
0004522330.tif 000002
【図２】
0004522330.tif 000003
【図３】
0004522330.tif 000004
【図４】
0004522330.tif 000005